(57)【特許請求の範囲】
【請求項１】
睫毛又は眉毛等のケラチン繊維に製品を適用するための適用具（１，１´）であって、軸Ｘを有する尾部（４）を具備し、当該尾部の一端には、製品を繊維に塗布することができるアプリケータ部位（３）が接合され、当該アプリケータ部位（３）は、各々２つの長手方向の縁（２０−２５）によって区画され、当該アプリケータ部位の少なくとも一部にわたって広がる少なくとも２つの面（１０，１１，１３−１５，１７−１９，４０−４１，４３−４５，４７−４９，５０−５４）からなり、少なくとも１つの第一の面（４０−４１，４３−４５，４７−４９）は、頂点が当該アプリケータ部位の第一の端部分の方向を向くゼロではない角αを軸Ｘとの間に形成し、少なくとも１つの第二の面（１０，１１，１３−１５，１７−１９）は、その頂点が当該アプリケータ部位の第二の端部分の方向を向くゼロではない角βを軸Ｘとの間に形成する適用具。
【請求項２】
軸Ｘに対して横向きに２つの端部又は面（３０，３１）を具備し、当該端部又は面の間に上記第1の面（４０−４１，４３−４５，４７−４９）及び第２の面（１０，１１，１３−１５，１７−１９）が広がり、上記の軸Ｘが当該２つの端部又は面（３０，３１）を横切ることを特徴とする請求項１に記載の適用具(１)。
【請求項３】
上記第１の面（４０−４１，４３−４５，４７−４９）及び第２の面（１０，１１，１３−１５，１７−１９）は、平面又は凹状であることを特徴とする請求項１又は２に記載の適用具(１，１´)。
【請求項４】
軸Ｘの少なくとも一部がアプリケータ部を形成する空間内に位置することを特徴とする請求項１乃至３の何れか1項に記載の適用具(１，１´)。
【請求項５】
上記第１の面（４０−４１，４３−４５，４７−４９）及び第２の面（１０，１１，１３−１５，１７−１９）は、軸Ｘに対してほぼ同一の位置であることを特徴とする請求項４に記載の適用具(１，１´)。
【請求項６】
上記２つの長手方向の縁（２０−２５）は、お互い平行であることを特徴とする請求項１乃至５のいずれか１項に記載の適用具(１，１´)。
【請求項７】
上記２つの長手方向の縁（２０−２５）は、お互い平行でなく、少なくともその一部の長さに渡って集束又は広がることを特徴とする請求項１乃至５のいずれか１項に記載の適用具(１，１´)。
【請求項８】
角α及びβが同一で、上記第１及び第２の面がお互い平行であることを特徴とする請求項１ないし７の何れか１項に記載の適用具(１，１´)。
【請求項９】
角α及びβが同一でなく、上記第１及び第２の面がお互い平行でないことを特徴とする請求項１ないし７の何れか１項に記載の適用具(１，１´)。
【請求項１０】
上記角α及びβが２度から１５度の間であることを特徴とする請求項１ないし９の何れか１項に記載の適用具(１，１´)。
【請求項１１】
上記第1及び第２面は、お互い対向するように配置されていることを特徴とする請求項１ないし１０のいずれか１項に記載の適用具(１，１´)。
【請求項１２】
上記第1及び第２面は、隣接していることを特徴とする請求項１ないし１０のいずれか１項に記載の適用具(１，１´)。
【請求項１３】
両端が軸Ｘに平行な平面に位置する少なくとも１つの第３の面（５０−５４）をさらに含むことを特徴とする請求項１ないし１２のいずれか１項に記載の適用具(１，１´)。
【請求項１４】
上記少なくとも1つの第３の面（５０−５４）が平面、凹状または凸状であることを特徴とする１３に記載の適用具(１、１´)。
【請求項１５】
アプリケータ部位は、少なくともその一部の長さにわたって、端部（３３，３４）にわたって当該軸Ｘを中心とすることを特徴とする請求項１乃至１４の何れか1項に記載の適用具(１，１´)。
【請求項１６】
針金（２）を捩じって形成された２つの分枝からなる芯に保持された剛毛からアプリケータ部が形成され、上記尾部（４）は、当該芯の非剛毛部位からなることを特徴とする請求項１乃至１５の何れか１項に記載の適用具(１)。
【請求項１７】
針金（２）を捩じって形成された上記分枝は、上記芯の軸まわりに螺旋を形成し、剛毛が上記芯に対して半径方向にひろがる器具であって、当該器具を垂直に保持し、前面から見た場合、上記螺旋は、左から右へ立ち上がることを特徴とする請求項１６に記載の適用具(１)。
【請求項１８】
針金（２）を捩じって形成された上記分枝は、上記芯の軸まわりに螺旋を形成し、剛毛は、上記芯に対して半径方向に広がる器具であって、当該器具を垂直に保持し、前面から見た場合、上記螺旋は、右から左へ立ち上がることを特徴とする請求項１６に記載の適用具(１)。
【請求項１９】
請求項１６乃至１８のいずれか1項に記載の適用具（１）であって、当該適用具が有する剛毛の全て又はその一部が中空断面（８０）を有する剛毛、及び／又は弾性繊維から成る剛毛、及び／又は少なくとも１つの毛細管状の溝（８９）を有する剛毛（８３）、及び／又は長手方向の軸まわりに右又は左へ捩じれている剛毛（８６，８７）、及び／又は端が研削された剛毛又は端がビーズ等のこぶ（９０）を形成する剛毛（８８）、及び又は長さが様々な剛毛（８１，８２）、及び／又は静菌性フィラー、磁気性フィラー又は滑りを改善するためのフィラー等を取り込んだ剛毛、及び／又はフロック加工された剛毛、又はこのような剛毛を混合したものであることを特徴とする適用具（１）。
【請求項２０】
複数の歯状体を少なくとも１列（９１−９４）に配してなる上記アプリケータ部位を、熱可塑性物質を成形し、機械加工し、鋳造し又はスタンプ加工することで得ることができることを特徴とする請求項１乃至１５のいずれかに記載の適用具(１´)。
【請求項２１】
少なくともその一部の長さにわたって上記アプリケータ部位（３）の断面は、三角形、四角形、五角形、六角形又は七角形であることを特徴とする請求項１ないし２０のいずれか１項に記載の適用具(１、１´)。
【請求項２２】
上記の断面は、アプリケータ器具（３）の少なくとも一部の長さにわたって一定であることを特徴とする請求項２１に記載の適用部（１，１´）。
【請求項２３】
上記の断面は、アプリケータ器具（３）の少なくとも一部の長さにわたって漸進的に変化することを特徴とする請求項２１に記載の適用具（１，１´）。
【請求項２４】
上記アプリケータ器具（３）の長手方向の軸は直線状又は湾曲していることを特徴とする請求項１乃至２３の何れか１項に記載の適用具（１，１´）。
【請求項２５】
睫毛又は眉毛等のケラチン繊維に製品を適用するための適用具（１，１´）であって、軸Ｘを有する尾部（４）を具備し、当該尾部の一端には、概略一直線な方向に沿う様に配置され、製品を繊維に塗布することができるアプリケータ部位（３）が接合し、当該アプリケータ部位（３）は、２つの長手方向の縁（２０−２５）によっておのおの区画され、当該アプリケータ部位の少なくとも一部にわたって広がる少なくとも２つの面（１０，１１，１３−１５，１７−１９，４０−４１，４３−４５，４７−４９，５０−５４）からなり、直線は、当該アプリケータ部位（３）の上記の２つの面に交差する２つの断面の各々の重心を通過し、前記直線は、上記の軸Ｘに平行ではない適用具。
【請求項２６】
上記直線は、上記２つの断面の軸方向の間に位置する地点であって、上記２つの断面からゼロではない距離の地点で上記軸Ｘと交差することを特徴とする請求項２５に記載の適用具（１，１´）。
【請求項２７】
眉毛又は睫毛等のケラチン繊維に製品を適用するための適用具（１）であって、剛毛を保持した針金を捩じって作られた芯（２）を湾曲させてできており、製品を繊維に適用することができるアプリケータ部位（３）を具備し、当該アプリケータ部位は、それぞれ２つの長手方向の縁（２０−２５）によって区画され、当該アプリケータ部位の少なくとも一部にわたって広がる少なくとも２つの面（１０，１１，１３−１５，１７−１９，４０−４１，４３−４５，４７−４９，５０−５４）からなり、線は、針金を捩じって形成された芯（２）の曲率と同じ曲率を有し、且つ当該アプリケータ部位（３）の上記２つの面に交差する２つの断面の各々が有する重心を通過し、前記線は、上記の湾曲した針金芯（２）に平行ではない適用具（１）。
【請求項２８】
上記の湾曲した輪郭線は、上記の２つの断面の軸方向の間に位置する地点であって、上記の２つの断面からゼロではない距離にある地点において上記の針金を捩じって形成された芯と交差することを特徴とする請求項２７に記載の適用具（１）。
【請求項２９】
眉毛又は睫毛等のケラチン繊維に製品を適用するための適用具（１）であって、剛毛を保持した針金を捩じって作られた芯（２）からできており、製品を繊維に適用することができるアプリケータ部位（３）を具備し、当該アプリケータ部位は、それぞれ２つの長手方向の縁（２０−２５）によって区画され、当該アプリケータ部位の少なくとも一部にわたって広がる少なくとも２つの面（１０，１１，１３−１５，１７−１９，４０−４１，４３−４５，４７−４９，５０−５４）からなり、直線は、当該アプリケータ部位（３）の上記２つの面に交差する２つの断面の各々が有する重心を通過し、前記直線は、上記の捩じれた針金芯（２）に平行ではない適用具。
【請求項３０】
上記直線は、上記の２つの断面の軸方向の間に位置する地点であって、上記の２つの断面からゼロではない距離にある地点において上記の針金を捩じって形成された芯（２）と交差することを特徴とする請求項２９に記載の適用具（１）。
【請求項３１】
第一端側と、第一端と反対端に第二端側を有する柄（５）を具備するアプリケータ（１１０）であって、柄の第一端側は把持部材（６）に固定されているか、又は把持部材自体を形成しており、第二端側は請求項１乃至３０の何れか１項に記載のアプリケータ適用具（１、１’）に固定されていることを特徴とするアプリケータ（１１０）。
【請求項３２】
上記把持部材（６）は、上記アプリケータ（１１０）に具備される容器（１０１）の開口部を閉じる要素をその裏側にさらに形成することを特徴とする請求項３１に記載のアプリケータ（１１０）。
【請求項３３】
睫毛又は眉毛のケラチン繊維のための製品を収容及び適用するための器具（１００）であって、搾り取り部材（１０６）が配置される近傍に開口部を形成した製品を収容するための容器（１０１）を具備し、且つ、請求項３１又は３２に記載のアプリケータ（１１０）を実装することを特徴とする器具（１００）。
【請求項３４】
上記の製品は、繊維、ナイロン、レイヨン、コットン又はビスコース繊維を含有することを特徴とする請求項３３に記載の器具（１００）。
【発明の詳細な説明】
【０００１】
【発明の属する技術分野】
本発明は、睫毛、眉毛、口髭又は毛髪等のケラチン繊維に製品を適用する器具に関する。このような器具は、上記の繊維に適用されるべきメークアップ用品、特に眉毛又は睫毛に適用されるべきマスカラ、及び／又はケア用品の適用に特に適している。
【０００２】
【従来の技術及び発明が解決しようとする課題】
特に本発明は、針金をヘアピン形状にして形成された２つの分枝の間に一層の剛毛を配置し、針金の両分枝をその軸回りに捻って作った「捻れブラシ」と通常呼ばれるブラシに関する。このように針金を捻って形成された螺旋（針金を一度縒る度に１つの螺旋ができる）によって複数の巻き輪が形成され、これら巻き輪は、針金を捻る方向に応じて、（ブラシを水平位置前面から見た場合）左から右に、又は右から左に立ち上がる。当該第１のタイプの捻れ方によって、時に「左捩れブラシ」と呼ばれるブラシを得ることができる。このようなブラシは、本願出願人が出願人である欧州特許出願公開第０６１１１７０号に特に記載されている。当該第２のタイプの捩じれ方は、これまでで最も一般的なタイプであり、「右捩れブラシ」と呼ばれるブラシを形成することができる。このような捩れブラシは、「剛毛」部位を具備するアプリケータ部位を有し、針金の「非剛毛」部位まで延びる。当該「非剛毛」部位は、時にブラシの「尾部」と呼ばれ、特に器具を把持するための部材に接続された柄に器具を固定するために特に使用される。
【０００３】
本発明は、ポリエチレン又はポリプロピレン等の熱塑性物質を成形して得られるアプリケータ器具にも関する。このように成形された器具には、器具を柄に固定するための「尾部」が通常具備される。このような器具は、機械加工、鋳造又はプレスによっても作ることができる。材料として、熱塑性物質以外の物質を使用してもよい。
【０００４】
製品化された器具のほとんどは、断面の中心が器具の尾部の縦軸にある。従って、器具がいかなる角度に位置する場合であれ、一定の軸位置に位置する限り、器具の周りの製品が等しく施される。しかし、時々瞼の睫毛のある区域にとって製品が余分に付着するため、塗布時にそれを薄く延ばすことができれば望ましい場合がしばしば見られる。逆に、使用者にとっては、一部分に製品が十分付着しておらず、更に付与したい場合もある。よって、適切にメーキャップを適用するためのブラシの睫毛に対する操作が必要となり、使用者は、少なくともいくらか練習をしなくてはならない。
【０００５】
仏特許第２７１５０３８号には、少なくとも１つの切断面を有する構造が開示されている。ある実施態様では、本構造には、ブラシの尾部の軸に対して平行であってもなくてもよい１つの切断面が設けられている。そのような切断面は、ブラシの主要部に渡って形成されていてもよく、長手方向の２つの縁によって面の区画がなされていない円錐台形の一端部で終端する。また、ブラシは，ブラシの尾部軸に対して平行な切断面２つを具備する。その結果、ブラシの尾部の軸を中心に比較的対照的な構造が得られる。しかし、これによって上記の問題が解決されるわけではない。
【０００６】
仏特許出願公開２６０５５０５号には、切断作業を反復して繰り返し、複数の面がブラシの尾部の軸に対して平行となるか、全て同一方向、特にブラシの自由端の方向に傾斜するように形成されることを主題とする捩れブラシが開示されている。いかなる場合であれ、このようにして形成された構造は、ブラシの尾部の軸を中心として対照的な構造となる。
【０００７】
成形により作られるもう１つのタイプのブラシが米国出願公開４４０３６２４号に開示されている。本書が開示するブラシは、自由端が勾配した縁を形成する一列の歯状体であって、睫毛をまとめる役目をする歯状体と、ブラシの軸部分に半径方向に配置され、製品を適用するために使用されるその他の歯状体を具備する。製品を付着させる外形は、ブラシの形状ゆえに、比較的双対で、進歩性がない。ブラシの角度位置に歯状体を半径方向に配置している点のみが製品の適用目的に有効に利用できる。
【０００８】
欧州特許第０４１０８２１号には、ブラシの断面がブラシの一端から他端へ回転する捩じれブラシが開示されており、この結果、複数の峰部が設けられ、ブラシの表面には少なくとも１つの螺旋が形成される。ブラシにより形成される複数の面は、ブラシの尾部の軸に対して平行か、又は同一方向に傾斜している。
【０００９】
【課題を解決するための手段】
従って、本発明の目的の一つは、睫毛又は眉毛等に製品を適用するための器具であって、従来技術を参照しながら上記した問題が完全又は部分的に解決された器具を製作することにある。
【００１０】
特に、本発明の目的は、眉毛又は睫毛等に製品を適用する器具であって、使用が非常に簡単で、且つ従来の器具に比べて短い期間で操作に慣れることができる器具を製作することである。
【００１１】
本発明の他の目的は、特にマスカラ又はケア用品のための適用器具であって、少なくともその長さの一部にわたって製品を捕らえることができ、当該製品量が器具の角度位置に応じて変化し、当該製品量は、更に少なくとも１つの漸進的に変化する形状をした器具に沿って変化する適用器具を製作することである。
【００１２】
本発明の他の目的は、一の動作又は、製品を適用するための動作のあとに引き続く動作によって、所望の製品量を適用し且つ処理されるべき繊維を分離することを可能とする適用器具を製作することである。
【００１３】
本発明のさらなる他の目的は、処理されるべき繊維、特に睫毛を被覆して、長く見せ、及び／又はカールする点において格段に進歩した適用器具を製作することにある。
【００１４】
他の目的は、以下の詳細な説明を読むことにより明らかになるであろう。
【００１５】
本発明の第１の側面によれば、眉毛又は睫毛等のケラチン繊維に製品を適用するための器具であって、軸Ｘを有する尾部を具備し、当該尾部には繊維に製品を適用することができるアプリケータ部位が連結され、当該アプリケータ部位には、２つの長手方向の縁によって各々が区画され、当該アプリケータ部位の少なくともその長さの一部にわたって形成される少なくとも２つの面が設けられており、少なくとも１つの第１の面は、軸Ｘと一緒にゼロではない角度αを形成し、当該角度の頂点が少なくとも１つの第２の面と軸Ｘの間に形成されたゼロではない角度βの頂点に背を向け合っている器具を製作することによって、上記の目的を達成することができる。
【００１６】
このように、例えば、角αは、アプリケータ器具の尾部の方向を向く開口を具備する。この例での角βは、当該アプリケータ器具の尾部と、つまり角αと反対方向を向く開口を有する。換言すれば、角αの頂点は、アプリケータ器具の第一の端部の方向を向き、角βの頂点は、第一の端部と反対の方向である、ブラシの第２の端部の方向を向く。
【００１７】
好適には、本発明の第一及び第二の面とは、ブラシが睫毛に対して明らかに軸方向に動かずに、睫毛が続けざまに係合する少なくとも１つの長さ部位を有する面をそれぞれ指す。このように、当該面は、例えば、軸に対してお互いが対向するように配置されるか、又は隣接するように配置されてもよい。
【００１８】
再び換言すれば、第一及び第二の面は、軸まわりに異なる角度位置にあるが、軸Ｘに沿って少なくとも部分的に、又はその前面にわたって重なる。
【００１９】
本発明の主要な目的は、使用時のわずらわしさを解消することなので、本発明のアプリケータ器具の構造によれば、初心者にも使用が簡単な構造に製作される。特にアプリケータ器具の面を区画する縁によって、処理すべき繊維を分離することができる。それらは、ブラシの軸に対して傾斜して配置されているため、尾部の軸まわりにブラシを少し回転させる動き等、繊維を自然な動きでブラシする間に器具は、剛毛又は歯状体が処理されるべき繊維同士の間を連続して貫通する。
【００２０】
さらに、第一及び第二の面が傾斜し又は裏を向き合うように配置することによって、繊維がアプリケータ器具が有する剛毛又は歯状体に対して横向きに配置され、特に繊維を長く見せ及び／又はカールするために繊維を被覆し、把持することができる。第一及び第二の面を裏が向き合うように配置すると、非対称又は偏心を構成し、よって、特に第一及び第二の面がお互い対向する位置に配置された場合、器具の一定の軸位置にとっては、器具のすべてのまわりで製品を様々に被覆するための外形を形成することができる。これは、器具が充填される器具の一部を構成する搾り取り部材を器具が通過するとき、第一の角度位置にある器具の第一点の搾り取りは、第二の角度位置にある器具の第二の絞り取りとは異なるが、同じ軸位置に位置するためである。器具が軸に対してその面が傾斜且つ対向するように配置されるため、器具を軸まわりに回転するとき、第一及び第二点における被覆が反復、継続して変化する。
【００２１】
このように、適用時の特徴の観点から、本発明のブラシであって、「右回りブラシ」タイプのブラシは、処理されるべき繊維を被覆し、繊維に長さを出す点で特に有利である。この利点は、従来の「左回りブラシ」タイプのブラシを使用した場合にも得ることができるが、本願ブラシによると、特にメーキャップ初心者がより使用しやすく、且つ処理されるべき繊維により多くの製品を施すことができる。製品は、適用されすると直ぐに均一に付着する点にはっきり気づくであろう。いくつかの従来の適用器具によると、少なくとも適用時に塊が生じ、それを除去するには、比較的長いブラッシングと、少なくともある程度のスキルが必要となる。
【００２２】
本発明の非常に有利な特徴によると、器具は、軸Ｘに対して２つの端面又は端部が対向し、当該端面又は端部の間に第一及び第二の面が広がり、当該２つの面又は部分は、軸Ｘによって切断される。換言すれば、少なくともある適用面に対して傾斜しているが、軸Ｘは、アプリケータ器具の包絡面内に位置する。適用時の処理すべき繊維に係る器具の軸回りになされる回転動作について、上記の特徴により、関連回転動作は、軸Ｘに対して面が傾斜しているため、その能力を十分発揮することができ、器具の剛毛又は歯状体は、処理すべき繊維の間を貫通しながら上方へ移動することができる。
【００２３】
好適には、第一及び第二の面は、平面又は凹状であって、凹型面によると、面を区画する縁がより明確に形成される。
【００２４】
また好適には、第一及び第二の面は、軸Ｘに対してその角度が相殺し合う位置にあるのに対して、軸位置はほぼ一致している。このように、第一及び第二の面は、軸との関係で見れば対向し、又は隣接している。第一及び第二の面を対向させた場合、繊維を最大限被覆することができる第1の領域は、繊維を最適に束ねることができる第2の領域に対して半径方向に位置し、ブラシに沿って移動すると、一方から他方の領域へは、第1及び第２の面の傾斜した外形に従って、比較的継続的に移行することができる。
【００２５】
第１及び第２の面の長手方向の縁は、お互いに平行であってもよい。あるいは、当該縁は、お互いに平行でないが、少なくともその一部の長さにわたって収束及び／又は広がるように湾曲している。
【００２６】
共に鋭角の角αとβは、同角であってもよく、そうすると、第一及び第二の面をお互い平行に配置することができる。これにより、器具が使用しやすくなる。
【００２７】
あるいは、角α及びβが異なる時、第１及び第２の面はお互いに平行でなくなる。特に面のそれぞれの角に関するこれらの変数は、適用に関する所望の特徴及び／又は適用される製品のレオロジーに従い変更される。
【００２８】
例えば、角α及びβは、２度から１５度、好ましくは、２度から１０度、さらに好ましくは３度から８度の間に形成してもよい。もちろん、これらの角度は、第１及び第２の面が広がる器具の長さ部分に従って、又は、器具の断面に従って変更することができる。
【００２９】
好適には、第１及び第２の面は、対向し合うように配置される。あるいは、第１及び第２の面は、隣接する。
【００３０】
好適には、本発明の器具には、両端が軸Ｘに平行な面に位置する少なくとも1つの第３の面がさらに形成される。一般的に器具の尾部軸に対して平行に配置される当該面の外形は、平面、凹型又は凸型であってもよい。複数の凹型又は凸型領域は、軸Ｘに沿って長手方向に配置されるか、又は軸Ｘに沿って互いに裏向きに配置されることができる。
【００３１】
好適には、アプリケータ部位は、少なくともその一部に渡って、特にその端部にわたって、軸Ｘをその中心とする。睫毛に製品を適用するための器具の場合、当該端部は、睫毛の下方又は目の角の睫毛への製品の適用が容易となる。
【００３２】
第１の実施態様によると、器具は、針金を捩じって形成された２つの分枝から成る芯が保持する剛毛から形成され、その尾部は、当該芯の非剛毛部分から形成される。このような剛毛は、特にナイロン−６，６、ナイロン−６，６、ナイロン−６，１０、ナイロン−６，１２等の特にポリアミド、又は、エラストマー製からなる合成繊維、又は天然繊維からなってもよい。
【００３３】
捩じれブラシの分枝は芯の軸まわりに螺旋を形成し、剛毛は、芯に対して半径方向に広がり、器具（左まわりブラシ）をほぼ垂直に保持した状態で前面から見た場合、螺旋は、おそらく左から右へ立ち上がる。あるいは、螺旋は、右まわりブラシの場合、右から左へ立ち上がる。
【００３４】
器具の剛毛は、断面が中空の剛毛、及び／又はエラストマー製の剛毛、及び／又は少なくとも１つの毛細官状の溝を有する剛毛、及び／又は長手方向に右又は左へ捩じれた剛毛、及び／又はその端部が研削されている剛毛、及び／又は端がビーズ等のこぶを形成する剛毛、及び又は長さが様々な剛毛、及び／又は静菌性フィラー、磁気性フィラー又は滑りを改善するためのフィラー等を取り込んだ剛毛、及び／又はフロック加工された剛毛、又はこのような剛毛を混合したものから構成してもよい。
【００３５】
本発明の他の実施態様によると、成形特に熱可塑性物質の成形、鋳造、機械加工、プレスによって、これを得ることができ、アプリケータ部位は、少なくとも１列に配置された複数の歯状体からなる。これら歯状体の底辺は、少なくとも部分的に相殺しあうように、あるいは、個別の面の何れかの側に配置される。歯状体は、２つの連続する歯がくぼみ、特にＶ型くぼみを形成し、繊維を長く見せ及び又は／カールさせるように被覆することができる。
【００３６】
少なくともその一部にわたって、アプリケータ部位の断面は、三角形、四角形、五角形、六角形又は七角形である。
【００３７】
捩じれブラシの場合、それらの製作作業、特に第１及び第２の面を製作するには、特にかかるアプリケータ器具を製造するための産業道具におそらく横列になって取り付けられる切断器具である自動操作バサミ等の切断具が使用されうる。典型的には、捩じり操作によって製作されるブラシは、円筒・円柱状の断面を有する。どんなブラシを希望するかによって、直接捩じれ操作後のブラシから直ぐに第１及び第２の面を切断することができる。好適には、間の成形段階でブラシを中間形状にし、これから第１及び第２の面を切断する。このような中間形状としては、円柱形、円錐形、ラグビーボール形（ひし形）、ビーナッツ形、デリアボロ形が挙げらえる。
【００３８】
器具は、アプリケータ部位の少なくとも部分にわたって、一定の断面を有する。あるいは、器具は、アプリケータ部位の少なくとも部分にわたって、特に漸進的に変化する可変断面を有する。
【００３９】
アプリケータ部位は、真っ直ぐ又は湾曲した長手方向の軸を有する。
【００４０】
本発明の他の側面は、眉毛又は睫毛等のケラチン繊維に製品を適用するための器具であって、軸Ｘを有する尾部を具備し、当該尾部には繊維に製品を適用することができるアプリケータ部位が連結され、当該アプリケータ部位には、２つの長手方向の縁によって各々が区画され、当該アプリケータ部位の少なくとも一部にわたって形成される少なくとも２つの面が設けられており、直線は、アプリケータ部位の２つの断面の重心を通過し、おのおのが当該２面に交差し、軸Ｘに平行ではない器具を製造することである。
【００４１】
好適には、直線は、当該２つの断面の間に位置する地点であって、上記２断面からゼロではない距離にある地点で当該軸Ｘと交差する。
【００４２】
本発明の他の側面は、眉毛又は睫毛等のケラチン繊維に製品を適用するための器具であって、剛毛を保持する湾曲した捩じれ針金からなる芯から形成され、繊維に製品を適用することができるアプリケータ部位を具備し、当該アプリケータ部位には、２つの長手方向の縁によって各々が区画され、当該アプリケータ部位のすくなくとも一部にわたって形成される少なくとも２つの面が設けられており、その輪郭線は、捩じれ針金から成る芯と同じ曲率を有し、アプリケータ部位の２つの断面の重心を通過し、おのおのが当該２面に交差し、湾曲した捩じれ針金から成る芯に平行ではない器具を製造することである。
【００４３】
好適には、上記の湾曲した輪郭線は、当該２つの断面の間に位置する地点であって、上記２断面からゼロではない距離にある地点で当該湾曲した捩じれ針金から成る芯と交差する。
【００４４】
本発明の他の側面は、眉毛又は睫毛等のケラチン繊維に製品を適用するための器具であって、剛毛を保持する真っ直ぐな捩じれ針金からなる芯から形成され、繊維に製品を適用することができるアプリケータ部位を具備し、当該アプリケータ部位には、２つの長手方向の縁によって各々が区画され、当該アプリケータ部位のすくなくとも一部にわたって形成される少なくとも２つの面が設けられており、その直線は、捩じれ針金から成る芯と同じ曲率を有し、アプリケータ部位の２つの断面の重心を通過し、おのおのが当該２面に交差し、捩じれ針金から成る芯に平行ではない器具を製造することである。
【００４５】
好適には、上記の直線は、当該２つの断面の間に位置する地点であって、上記２断面からゼロではない距離にある地点で当該捩じれ針金から成る芯と交差する。
【００４６】
本発明の他の側面は、一端が把持部材に接合又はこれを形成し、第二の端が第１の端と対向し、本発明のアプリケータ器具と固定されている柄を具備するアプリケータを製作することにある。柄は、尾部の軸に沿って配置されるか、又はこれに角度を有する位置に配置される。
【００４７】
好適には、把持部材は、アプリケータを具備する収容器具の開口部を閉じることができる部材を裏側にさらに構成する。
【００４８】
本発明の他の側面は、眉毛又は睫毛等のケラチン繊維のための製品の収容適用器具であって、製品を収容する容器を具備し、当該容器は、近傍に搾り取り部材が配置される開口部を形成し、当該器具には本発明の第二の側面に記載のアプリケータが収容される。搾り取り部材は、例えばエラストマー製のスリーブ状の一端によって形成された環状口部からなってもよい。あるいは、ワイパー部材は、例えば連続気泡又は半連続気泡発泡体ブロックからなってもよく、軸方向に通路又はスロット溝が形成される。
【００４９】
好適には、製品は、睫毛又は眉毛のメーキャップ用品及び／又はケア用品である場合、繊維、特にナイロン、レイヨン、コットン又はビスコース繊維を含有する。かかる繊維によって、睫毛をより長く見せることができる。本発明の器具は、こういった種類の製品に特に適しており、搾り取り中には器具に、そして、そのあとの塗布時には睫毛に上記の繊維を適正に配置することが容易となる。上記繊維は、０．２ｍｍから２ｍｍの範囲の長さを有することができる。
【００５０】
これまで説明した変形例とは別に、本発明は、添付図面を参照して記載するいくつかの非限定的な実施態様について、以下に説明する複数の他の変形例からなる。
【００５１】
【発明の実施の形態】
図１(Ａ)には、四角形断面を有するブラシ１を非常に概略的に示した。本器具のアプリケータ部位は、符号３で示されている。ブラシの尾部４の軸Ｘは、ブラシの一面１０と共に鋭角βを形成し、その頂点は、尾部４の方向を向いている。ブラシ１の尾部４の軸Ｘは、当該面１０と反対に位置するブラシの一面４０と共に角αを形成し、その頂点は、尾部４に対し背を向けている。角α及びβは、ほぼ同角で、面１０及び４０は、ほほ平行となる。角α及びβの角度は、ほぼ５度である。長手方向の２つの面は、ともに参照しないが、お互いが平行で、且つ尾部４の軸Ｘに平行である。残りの説明において、慣例により、番号「１」から始まる符号は、頂点が尾部４を向く「β」タイプの角を軸Ｘと共に形成する面を示す。番号「４」から始まる符号は、頂点が尾部４に背を向ける「α」タイプの角を軸Ｘと形成する面を示す。番号「５」から始まる符号は、２つの端が軸Ｘに平行な平面に位置する面を示す。
【００５２】
図１（Ｂ）に示す器具１は、「右回りブラシ」タイプの捩じれブラシからなる。ほぼ垂直位置のブラシを前面から見ると、針金２を捩じって形成された螺旋からなる複数の巻き輪は、右から左へ立ち上がっている。ブラシは、針金２の剛毛部位から形成されたアプリケータ部位３と、当該針金の非剛毛部位から形成された尾部４を具備している。尾部の一端は、柄の自由端と接合し、当該柄５の他端は、把持部材６に接合している。当該部材は、以下に詳細に見るように、当該器具が充填される収容器具の開口部を閉じることができる。
【００５３】
アプリケータ部位３は、ブラシ１の全長にわたり三角形の断面を有する。当該部位は、長手方向の縁２０及び２１が区画する第１の面１０を具備する。第２の面４０は、長手方向の縁２１及び２２に区画される。第３の面４１は、長手方向の縁２２及び２０に区画される。尾部４の軸に対応する軸Ｘは、面４０及び４１が形成する頂部付近の一点で端面３０を切断し、当該面３０の反対に位置する端面３１を面１０付近、当該軸のほぼ中間あたりで切断する。
【００５４】
このように、面１０は、頂点が尾部４の方向を向く１つの鋭角を軸Ｘと共に形成する。面４０及び４１は、頂点が端面３０の方向を向く１つの鋭角を軸Ｘと共に形成する。
【００５５】
ブラシ１の尾部４が図において見えるように、当該尾部４を部位的に嵌入した場合のブラシ１を図示した。実際は、ブラシの尾部４は、柄５が実質上アプリケータ部位３と接する程度に柄５と係合される。ブラシ１の面１０は、柄５がアプリケータ部位３と連接する地点で切断し、面１０の最短剛毛は、柄５の側面とほぼ同じレベルに位置している。
【００５６】
図２に示した実施態様では、ブラシ１の断面は、三角形で、若干凹状の３つの面１３、４３、５０を有している。面１３は、縁２０と２１に、面４３は、縁２１と２２に、面５０は、縁２２と２０によって、それぞれ区画されている。  尾部４の軸に対応する軸Ｘは、面４３及び５０が形成する頂部付近の一点で端面３０を切断し、当該面３０の反対に位置する端面３１を面１３及び５０が形成する頂点付近の一点で切断する。
【００５７】
このように、面１３は、頂点が尾部４の方向を向く１つの鋭角を軸Ｘと共に形成する。面４３は、頂点が端面３０の方向を向く１つの鋭角を軸Ｘと共に形成する。
【００５８】
図３に示した実施態様では、アプリケータ部位３は、ほぼ２等辺三角形の形状で、一般的に三角形の断面を有し、２つの端面３０と３１によって区画されている。端面３０及び３１は、縁が面３０の頂点と面３１の角を組にして、又はその逆の場合も含めて結合させることによって、連結している。このようにして、縁２０乃至２３によって第１の面群４４，５１，５２が区画され、当該面の幅は、端面３１に向かって縮小し、当該縁によって第２の面群１４も区画され、当該面の幅は、端面３０に向かって縮小する。端面３０は、端面３１に対向して配置され、端面３０が形成する二等辺三角形の頂点は、面３１が形成する二等辺三角形の底辺に対向し、その逆もまた同じである。尾部４の軸に対応する軸Ｘは、面４４の近く、当該軸の中間付近で端面３０を切断し、又、面１４の近く、当該軸の中間付近で端面３１を切断する。このように、面１４は、頂点が尾部４の方向を向く１つの鋭角を軸Ｘと共に形成する。面４４は、頂点が端面３０の方向を向く１つの鋭角を軸Ｘと共に形成する。面５１及び５２は、軸Ｘと平行である。本実施態様の器具は、ある複数の面を有するが、説明を明確にするため、わざと図示しなかった。
【００５９】
図４（Ａ）乃至４（Ｃ）に示した実施態様では、アプリケータ部位３は、主要部位３２と端部３３からなる。主要部３２は、三角形の断面を有し、当該断面は、尾部４の方向から遠ざかるにつれ縮小していく。当該三角形の断面は、３つの面１４，４４，５１を区する３つの縁２０，２１，２２を有する。ブラシ１の主要部３２は、２つの面に区画されており、１面は、尾部４に隣接するブラシの端に位置する面３１であって、他面は、主要部３２とブラシ１の端部３３とが連接する場所に位置する面３０である。軸Ｘは、尾部４の軸に対応し、面４４と５１が形成する頂点の近くに位置する地点で端面３０を切断し、又、面１４と５１が形成する頂点近くに位置する地点で端面３１を切断する。
【００６０】
このように、面１４は、頂点が尾部４の方向を向く１つの鋭角を軸Ｘと共に形成する。面４４は、頂点が端面３０の方向を向く１つの鋭角を軸Ｘと共に形成する。面５１は、軸Ｘに平行している。
【００６１】
端部３３は、ブラシ１の自由端に向かって縮小する断面を有し、この部位で睫毛の下方部位又は、目の角部の睫毛にメーキャップを施すことができる。面５１は、一定の傾度でもって、主要部位３２と端部３３の両方にわたって配設されている。
【００６２】
図５に示された実施態様では、アプリケータ部位は、その断面が正方形で、長手方向の４つの縁２０，２１，２２，２３を有する。４つの縁２０乃至２３は、４つの面を区画する。面４０は、縁２０，２１によって、面１０は、縁２１，２２によって、面１１は、縁２２，２３によって、  面４１は、縁２３，２０によって、それぞれ区画される。
軸Ｘは、尾部４の軸に対応し、面４０と４１が形成する角の近くに位置する地点で端面３０を切断し、又、面１０と１１が形成する角に位置する地点で端面３１を切断する。
【００６３】
このように、面１０及び１１は、頂点が尾部４の方向を向く１つの鋭角を軸Ｘと共に形成する。面４０、４１は、頂点が端面３０の方向を向く１つの鋭角を軸Ｘと共に形成する。
【００６４】
換言すれば、本実施態様によると、「α」タイプの角を形成する面のいずれもが「β」タイプの角を形成する面に対向し、その逆も同じである。同様に、「α」タイプの角を形成する面のいずれもが「β」タイプの角を形成する面と「α」タイプの角を形成する面を側方に有する。同様にことが「β」タイプの角を形成するいずれの面にも該当する。
【００６５】
図６に示された実施態様では、アプリケータ部位は、その断面が正方形で、長手方向の４つの縁２０，２１，２２，２３を有する。４つの縁２０乃至２３は、４つの面を区画し、当該面は、組になって平行となる。面４０は、縁２０，２２によって、面５１は、縁２１，２２によって、面１０は、縁２２，２３によって、面５０は、縁２３，２０によって、それぞれ区画される。
【００６６】
軸Ｘは、尾部４の軸に対応し、面４０近くに位置する地点で端面３０を切断し、又、面１０近くに位置する地点、当該軸のほぼ中間地点で端面３１を切断する。
【００６７】
このように、面１０は、頂点が尾部４の方向を向く１つの鋭角を軸Ｘと共に形成する。面４０は、面１０に対向し、頂点が端面３０の方向を向く１つの鋭角を軸Ｘと共に形成する。面５０と５１は、お互いに平行で、且つ軸Ｘに対して平行である。
【００６８】
図７に示す実施態様は、図５に示す実施態様の面１０及び４１に対応する面１７及び４７の形状が凸状で、その凸面は、真っ直ぐな縁２０乃至２３に平行な１本の軸に沿って配置されている点において、図５に示す実施態様と異なる。
【００６９】
図８に示す実施態様は、図６に示す実施態様の面５０及び５１に対応する面５３及び５４の形状が波状形で、その谷がアプリケータ部位３のほぼ中間に位置する点において、図６に示す実施態様と異なる。縁２０乃至２３の形状は、真っ直ぐではなく、面５３及び５４の輪郭と等しい。このようなブラシは、はじめの形状が大体ピーナッツのようなブラシを加工して作ることができる。
【００７０】
図９（Ａ）乃至９（Ｃ）に示す実施態様は、アプリケータ部位３は、実施態様６のアプリケータ部位３と同一の主要部位３２と、当該主要部位まで広がる端部３３を具備する点において、図６に示す実施態様と異なる。端部３３は、円錐台形を形成し、これにより睫毛の下方部位や目の角の睫毛にメーキャップをより容易に施すことができる。主要部位３２と端部３３の間の接合点には肩部３５が形成される。
【００７１】
更に、以上の実施態様ではブラシが全て「右回りブラシ」であったが、本実施態様におけるブラシ１は、「左回りブラシ」である。このことは、ほぼ垂直位置のブラシを前面からみると針金２を捩じって形成された螺旋からなる巻き輪が左から右へ立ち上がっていることからもわる。
【００７２】
図１０（Ａ）及び（Ｂ）に示す実施態様のブラシは再び「右回り」タイプである。アプリケータ部位３は、その断面がフラストコニカル（frustoconical）で、長手方向の４つの縁２０，２１，２２，２３を有する。４つの縁２０乃至２３は、４つの面を区画する。面１４は、縁２０，２１によって、当該面１４に隣接する面１５は、縁２１，２２によって、当該面１４に対向する面４４は、縁２２，２３によって、当該面１５に対向する面４５は、縁２３，２０によって、それぞれ区画される。
【００７３】
軸Ｘは、尾部４の軸に対応し、面４４と４５が形成する角の近くに位置する地点で端面３０を切断し、又、面１４の近くに位置する地点であって当該軸のほぼ中間地点で端面３１を切断する。
【００７４】
このように、面１４及び１５は、頂点が尾部４の方向を向く１つの鋭角を軸Ｘと共に形成するが、これら２つの面と当該軸によって形成されるいくつかの角度は、同一か又は異なる。面４４及び４５は、頂点が端面３０の方向を向く１つの鋭角を軸Ｘと共に形成する。図１０（Ｂ）に示す概略図から明らかなように、面１４と軸Ｘが形成する角βは、当該アプリケータ部位３がフラストコニカルな形状を有するため、面４４と軸Ｘが形成する角αより小さい。
【００７５】
図１１に示す実施態様のブラシ１は、図５に示す実施態様の面１０及び４１に対応する面１８及び４８が平坦な変わりに凸型をしている点において図５に示す実施態様と異なる。面１８及び４８の幅は一定である一方、面１１及び４０の幅は、アプリケータ部位３のほぼ中間で最大値となる。図５に示す実施態様と同様に、面１１及び１８は、頂点が軸４の方向を向く１つの鋭角を軸Ｘと共に形成する。面４４及び４８は、頂点が端面３０の方向を向く１つの鋭角を軸Ｘと共に形成する。
【００７６】
図１２（Ａ）及び１２（Ｂ）に示した実施態様のブラシは、「左回り」タイプであって、その長方形断面は、端面３０の正方形断面と端面３１の正方形断面の間で形状が大きく変化していく。
【００７７】
アプリケータ部位は、長手方向の４つの縁２０，２１，２２，２３を有する。４つの縁２０乃至２３は、４つの面を区画する。面４０は、縁２０，２１によって区画される。面４０は、その全長にわたって、軸Ｘに対して端部分３４まで傾斜している。当該部分は、軸Ｘに平行で、アプリケータ部位３の端面４１に隣接している。面１０は、面４０に対向するよう配置されており、縁２２及び２３によって区画される。面１０は、その全長にわたって、軸Ｘに対して端部分３３まで傾斜している。当該部分は、軸Ｘに平行で、アプリケータ部位３の端面３０に隣接している。面５０は、縁２１及び２２によって区画され、面５１は、縁２３及び２０によって区画される。面５０及び５１は、可変する幅を有し、軸Ｘに平行である。
【００７８】
このように、面１０は、ブラシ１の主要な長さにわたって、頂点が尾部４の方向を向く１つの鋭角を軸Ｘと共に形成する。面４０は、ブラシ１の主要な長さにわたって、頂点が端面３０の方向を向く１つの鋭角を軸Ｘと共に形成する。面５０と５１は、お互いに平行で、且つ軸Ｘに対して平行である。面１０及び４０の傾斜は、端部３３及び３４の長さに対応する長さ分、軸方向に相殺し合うが、主要部位において重なり合っている。端部３３及び３４を設けることによって、睫毛の下方部位又は目の角の睫毛にメーキャップをより容易に施すことができる。
【００７９】
図１３に示す実施態様のブラシは、「右回り」タイプのブラシで、断面の形状が長方形で、４つの長手方向の縁２０乃至２３を有する。端面３０によって形成される長方形は、端面３１が形成する長方形に対して９０度回転して配置される。よって、真っ直ぐな縁２０乃至２３は、端面３０が形成する長方形の両縦辺を端面３１が形成する長方形の両横辺と組にして連結させる。逆の場合も同様である。
【００８０】
面４４は、縁２０，２１によって、面４４に隣接する面１４は、縁２１，２２によって、面４４に対向する面４５は、縁２２，２３によって、面１４に対向する面１５は、縁２３，２０によって、それぞれ区画される。
【００８１】
軸Ｘは、尾部４の軸に対応し、端面３０は、当該面のほぼ中心点で当該軸により切断され、端面３１は、当該面のほぼ中心点で当該軸により切断される。
【００８２】
このように、面１４及び１５は、頂点が尾部４の方向を向く１つの鋭角を軸Ｘと共に形成する。面４４及び４５は、頂点が端面３０の方向を向く１つの鋭角を軸Ｘと共に形成する。以上の説明から明らかなように、本実施態様によると、角αを向いて配置された面は角βを向いて配置された面と隣接する。
【００８３】
図１４（Ａ）乃至１４（Ｅ）に示された実施態様のブラシ１は、尾部４に隣接するブラシの端部付近に円錐台３４をもう１つ具備する点において、図９（Ａ）乃至９（Ｃ）に示された実施態様と異なる。当該円錐台３４は、ブラシの主要部３２と肩部３６により区別される。当該肩部は、ブラシ１の他端付近に形成された肩部３５と半径方向に相対する。軸Ｘに平行な２つの面５０及び５１は、図７に示した実施態様の面１７及び４７の場合と同様に凸型の形状をしている。
【００８４】
アプリケータ部位３の主要部３２において、面１０は、頂点が尾部４の方向を向く１つの鋭角を軸Ｘと共に形成する。面４０は、頂点が端面３０の方向を向く１つの鋭角を軸Ｘと共に形成する。本実施態様によると、「α」タイプの角度を有して配置される面４０は、「β」タイプの角度を有して配置される面１０と対向する。お互い対向し合うように配置された面５０及び５１は、軸Ｘにほぼ平行して配置される。本実施態様では、図９（Ａ）乃至９（Ｃ）に示した実施態様の場合と同様に、ブラシ１は、「左回りブラシ」タイプである。
【００８５】
図１５に示す実施態様は、針金を捩じって形成されたブラシの芯２がアプリケータ部位３の全長にわたって湾曲している点において、図６に示した実施態様と区別される。
【００８６】
図６に示す実施態様と同様に、面１０は、頂点が尾部４の方向を向く１つの鋭角を軸Ｘと共に形成する。面４０は、頂点が端面３０の方向を向く１つの鋭角を軸Ｘと共に形成する。面５０及び５１は、互いに平行で、且つ軸Ｘのカーブに沿って配置される。
【００８７】
図１６に示した実施態様では、アプリケータ部位の形状は、六角形である。当該部位は、６面を区画する６つの長手方向の縁２０乃至２５を有する。面４０が縁２５及び２０に、面４１が縁２０及び２１に、面５０が縁２１及び２２に、面１１が縁２２及び２３に、面１０が縁２３及び２４に、面５１が縁２４及び２５によって、それぞれ区画される。
【００８８】
軸Ｘは、尾部４の軸に対応し、面４０及び４１によって形成される頂点付近に位置する地点で端面３０を切断し、面１０及び１１によって形成される角付近に位置する地点で端面３１を切断する。
【００８９】
面１０及び１１は、頂点が尾部４の方向を向く１つの鋭角を軸Ｘと共に形成する。面４０及び４１は、頂点が端面３０の方向を向く１つの鋭角を軸Ｘと共に形成する。面５０及び５１は、軸Ｘに平行である。
【００９０】
以下では図面１７（Ａ）乃至１７（Ｇ）を参照するが、ここでは、以上で例証した実施態様を参照しながら記述したブラシ１を製作するために使用することができる剛毛に関する特徴がいくつか例証する。
【００９１】
図１７（Ａ）では円筒形の断面を有する剛毛８０が示されている。
【００９２】
図１７（Ｂ）には、短くて半径の大きい剛毛８１と、長くて半径の小さい剛毛８２が示されている。このような構成は、大きい半径の剛毛と小さい半径の剛毛を混合して構成されたブラシを研削して得られる。小断面の剛毛は、はさみに接すると傾斜し、若干短く切断される。一方、大きい半径の剛毛は、はさみが接しても真っ直ぐなままであるから、より短く切断される。
【００９３】
図１７（Ｃ）では、剛毛８９は複数の溝８９を当該剛毛の全長または一部の長さにわたって有し、毛細官作用によって製品を保持することができる。
【００９４】
図１７（Ｄ）は、扁平な形状の断面を有する剛毛８４を示す。その断面は硬いか、又は空洞であってもよい。
【００９５】
図１７（Ｅ）では、剛毛８５は、ブーメラン形の断面を有する。
【００９６】
図１７（Ｆ）では、第1の捩れ方向へ縦軸まわりに捩った剛毛８６と、第1とは反対の第２の捩れ方向へ縦軸回りに捩じった剛毛８７を混合したものが示されている。
【００９７】
図１７（Ｇ）に示す剛毛８８には、熱又は機械処理によって作られることができるビーズ９０がその端部に設けられている。
【００９８】
図１８に示す実施態様のブラシ１´は、熱可塑性物質を成形して作られた。アプリケータ部位３は、その断面が正方形で、４つの長手方向の縁２０，２１，２２，２３を有する。当該４つの縁２０乃至２３は、４つの面を区画する。面４０は、縁２０，２１によって、面１０は、縁２１，２２によって、面１１は、縁２２，２３によって、面４１は、縁２３，２０によって、それぞれ区画される。
【００９９】
軸Ｘは、尾部４の軸に対応し、端面３０を、面４０付近に位置し、且つそのほぼ中間に位置する地点で切断し、面１０及び１１に形成される角付近に位置する地点で端面３１を切断する。
【０１００】
面１０及び１１は、頂点が尾部４の方向を向く１つの鋭角を軸Ｘと共に形成する。面４０及び４１は、頂点が端面３０の方向を向く１つの鋭角を軸Ｘと共に形成する。各面１０，１１，４０，４１は、ほぼその平面上を、処理すべき繊維に製品を塗布することができる一列の歯状体９１乃至９４が配置されている地点まで広がっている。当該歯状体列９１乃至９４は、組となって、他方の組に対して同じ回転方向に９０度の角度を有して配列している。ブラシ１０の尾部４は、ブラシのアプリケータ部位と一緒に成形して得られる。
【０１０１】
明らかなことであるが、以上で記述した実施態様については、当該第１、第２、及び可能性として第３の面の相対的組み合わせを単純に変更して、いくつもの変形例を考えることができる。いかなる組み合わせによっても、あるレオロジーを有する製品や、剛毛又はそれを形成する歯状体の一定の構成と関連付けて、特徴ある塗布が可能となり、しかもこの特徴は、塗布する度に異なるものとなる。
【０１０２】
図１９には、上記のアプリケータ器具１が具備される収容塗布装置１００が示されている。当該装置１００は、マスカラ等の化粧品溜めを収容する容器１０１と、アプリケータ１１０を有する。アプリケータ１１０は、捩じれブラシタイプであって、軸Ｘの柄５の一端に固定されているアプリケータ器具１を具備する。柄５の他端は、把持部材６と接合している。当該部材はまた、容器１０１を閉じる栓を構成する。当該容器１０１は、絞り取り部材６を有する。ここでは、当該部材は、円筒状のスリーブからなり、その一方の終端は、柔軟な環状口部１０７を形成している。アプリケータ１１０が容器１０１に充填させられている状態では、アプリケータ器具１は、搾り取り口部１０７と容器の底部の間に完全に横たわっている。その他のタイプの搾り取り部材、例えば、スロット又は通路が軸方向に貫通する連続気泡又は半連続気泡発砲対ブロックであって、力が加わらない場合に当該スロット又は溝を形成する縁同士が事実上接触しているものも使用可能である。
【０１０３】
当該アプリケータを使用するにあたり、使用者は、把持部材６によって形成された栓の螺子を回してこれを開け、容器１０１からアプリケータ１１０を取り出す。この際、アプリケータ器具１は搾り取り部材１０６を必ず通過するので、剛毛又は歯状体に分配する製品量を一定にすることができる。アプリケータは、ほぼ軸Ｘに対し長手方向に沿って引き抜かれる。使用後、使用者は、アプリケータを容器に戻すが、この時にもアプリケータ器具１は、絞り取り部材１０６を通過して戻される。
【０１０４】
以上の詳細な説明では本発明の好適な実施態様を参照したが、本願で主張の特許請求の範囲から逸脱しないで、これら実施態様の変形例が考えられうることは、明白である。
【図面の簡単な説明】
【図１】  図１（Ａ）は、本発明の幾何学的な特徴を示す概略図である。
図１（Ｂ）は、本発明のアプリケータ器具の第１の実施態様に関する。
【図２】  図２は、本発明のアプリケータ器具の第２の実施態様に関する。
【図３】  図３は、本発明のアプリケータ器具の第３の施態様に関する。
【図４】  図４（Ａ）−４（Ｃ）は、本発明のアプリケータ器具の第４の実施態様に関    する。
【図５】  図５は、本発明のアプリケータ器具の第５の実施態様に関する。
【図６】  図６は、本発明のアプリケータ器具の第６の実施態様に関する。
【図７】  図７は、本発明のアプリケータ器具の第７の実施態様に関する。
【図８】  図８は、本発明のアプリケータ器具の第８の実施態様に関する。
【図９】  図９（Ａ）−（Ｃ）は、本発明のアプリケータ器具の第９の実施態様に関する。
【図１０】  図１０（Ａ）−（Ｂ）は、本発明のアプリケータ器具の第１０の実施態様に関する。
【図１１】  図１１は、本発明のアプリケータ器具の第１１の実施態様に関する。
【図１２】  図１２（Ａ）−（Ｂ）は、本発明のアプリケータ器具の第１２の実施態様に関する。
【図１３】  図１３は、本発明のアプリケータ器具の第１３の実施態様に関する。
【図１４】  図１４（Ａ）−（Ｅ）は、本発明のアプリケータ器具の第１４の実施態様に関する。
【図１５】  図１５は、本発明のアプリケータ器具の第１５の実施態様に関する。
【図１６】  図１６は、本発明のアプリケータ器具の第１６の実施態様に関する。
【図１７】  図１７（Ａ）−（Ｇ）は、特に図１（Ａ）乃至１６に例示したいずれの実施態様にも使用可能な剛毛の特異な特徴を示す。
【図１８】  図１８は、本発明のアプリケータ器具の第１７の実施態様に関する。
【図１９】  図１９は、本発明のアプリケータ器具を具備する収容適用器具を例示する。
【符号の説明】
１…アプリケータ器具
２…芯
３…アプリケータ部位
４…尾部
５…柄
６…把持部材
２０−２３…縁
３０，３１…端面
１０，４０，５３，５４…面
Ｘ…軸
【図１】
0003807485.tif 000002
【図２】
0003807485.tif 000003
【図３】
0003807485.tif 000004
【図４】
0003807485.tif 000005
【図５】
0003807485.tif 000006
【図６】
0003807485.tif 000007
【図７】
0003807485.tif 000008
【図８】
0003807485.tif 000009
【図９】
0003807485.tif 000010
【図１０】
0003807485.tif 000011
【図１１】
0003807485.tif 000012
【図１２】
0003807485.tif 000013
【図１３】
0003807485.tif 000014
【図１４】
0003807485.tif 000015
【図１５】
0003807485.tif 000016
【図１６】
0003807485.tif 000017
【図１７】
0003807485.tif 000018
【図１８】
0003807485.tif 000019
【図１９】
0003807485.tif 000020